(57)【要約】【課題】支持部材及び係止部材を支柱に対して互いに干渉しないように取付可能とすることにより、支持部材及び係止部材の配置の自由度を向上させることができる、フレーム構造体を提供する。【解決手段】フレーム構造体Ｆは、軸心と直交する断面視で略矩形に形成されるとともに所定の間隔を空けて立設される複数の支柱１０・１０と、隣接する支柱１０・１０において対向する内側面の上端部を互いに連結する連結杆２１と、を備え、支柱１０において内側面と直交する一側面には、支柱１０を支持する支持部材を取付け可能な取付部１２が支柱１０の長手方向に沿って設けられるとともに、支柱１０に組付ける係止部材を係止可能な複数の係止孔１１ａ・１１ａ・・・が取付部１２に沿って開口される。【選択図】図４
2020179001.tif 000002
【特許請求の範囲】
【請求項１】
軸心と直交する断面視で略矩形に形成されるとともに所定の間隔を空けて立設される複数の支柱と、隣接する前記支柱において対向する内側面の上端部を互いに連結する連結杆と、を備えたフレーム構造体であって、
前記支柱において前記内側面と直交する一側面には、前記支柱を支持する支持部材を取付け可能な取付部が前記支柱の長手方向に沿って設けられるとともに、前記支柱に組付ける係止部材を係止可能な複数の係止孔が少なくとも前記取付部の前記連結杆側に沿って開口される、フレーム構造体。
【請求項２】
少なくとも一本の前記支柱における前記一側面には、前記取付部の両側に沿って、複数の前記係止孔が開口される、請求項１に記載のフレーム構造体。
【請求項３】
前記支柱の前記一側面において、前記取付部は前記係止孔の開口面よりも突出して設けられ、
前記支柱には、隣接する前記支柱との間隙を被覆する化粧パネルが設けられ、
前記取付部において前記支持部材を取付ける取付面と前記化粧パネルの表面とが同一面上に配置される、請求項１又は請求項２に記載のフレーム構造体。
【請求項４】
前記支柱において前記一側面と背向する他側面には、前記一側面と対称形状となるように前記取付部及び前記係止孔が設けられる、請求項１から請求項３の何れか１項に記載のフレーム構造体。
【発明の詳細な説明】
【技術分野】
【０００１】
本発明はフレーム構造体に関し、詳細には支柱に対して支持部材及び係止部材を取付け可能に構成したフレーム構造体に関するものである。
【背景技術】
【０００２】
従来、複数の支柱の上端部を連結杆で連結した構成のフレーム構造体において、支柱に棚板等を係止する構成が知られている（例えば、特許文献１及び特許文献２を参照）。これらの特許文献に記載のフレーム構造体において、支柱には複数の係止孔が開口される。そして、この係止孔に係止された係止板に脚体を固定することにより、支柱が支持される。また、前記特許文献には、側面パネルや、棚板を載置するためのブラケットを係止孔に係止する構成が記載されている。
【先行技術文献】
【特許文献】
【０００３】
【特許文献１】特開２００８−８６５３５号公報
【特許文献２】特開２００８−８６５３９号公報
【発明の概要】
【発明が解決しようとする課題】
【０００４】
上記の特許文献に記載のフレーム構造体においては、支柱に開口した係止孔を用いて脚体、側面パネル、ブラケット等の部材を支柱に組付ける構成としている。しかし、これらの部材を支柱に組付ける際に係止孔を共有して用いるため、同じ係止孔を用いる場合に部材が互いに干渉して取付けられない場合があった。
【０００５】
本発明は以上の如き状況に鑑みてなされたものであり、本発明が解決しようとする課題は、支持部材及び係止部材を支柱に対して互いに干渉しないように取付可能とすることにより、支持部材及び係止部材の配置の自由度を向上させることができる、フレーム構造体を提供することである。
【課題を解決するための手段】
【０００６】
本発明は、上記課題を解決するために、以下に構成するフレーム構造体を提供する。
【０００７】
（１）軸心と直交する断面視で略矩形に形成されるとともに所定の間隔を空けて立設される複数の支柱と、隣接する前記支柱において対向する内側面の上端部を互いに連結する連結杆と、を備えたフレーム構造体であって、前記支柱において前記内側面と直交する一側面には、前記支柱を支持する支持部材を取付け可能な取付部が前記支柱の長手方向に沿って設けられるとともに、前記支柱に組付ける係止部材を係止可能な複数の係止孔が少なくとも前記取付部の前記連結杆側に沿って開口される、フレーム構造体。
【０００８】
（２）少なくとも一本の前記支柱における前記一側面には、前記取付部の両側に沿って、複数の前記係止孔が開口される、（１）に記載のフレーム構造体。
【０００９】
（３）前記支柱の前記一側面において、前記取付部は前記係止孔の開口面よりも突出して設けられ、前記支柱には、隣接する前記支柱との間隙を被覆する化粧パネルが設けられ、前記取付部において前記支持部材を取付ける取付面と前記化粧パネルの表面とが同一面上に配置される、（１）又は（２）に記載のフレーム構造体。
【００１０】
（４）前記支柱において前記一側面と背向する他側面には、前記一側面と対称形状となるように前記取付部及び前記係止孔が設けられる、（１）から（３）の何れか一に記載のフレーム構造体。
【発明の効果】
【００１１】
以上における本発明に係るフレーム構造体は、以下に示す効果を奏する。
【００１２】
（１）の構成によれば、支持部材及び係止部材を支柱に対して互いに干渉しないように取付可能なため、支持部材及び係止部材の配置の自由度を向上させることができる。
【００１３】
（２）の構成によれば、一本の支柱に対して係止片が二列で設けられた係止部材を安定して係止でき、また、支柱が３本以上のフレーム構造体を構成した場合に、間の支柱に支持部材を取付け、支持部材の両側それぞれに係止部材を係止できる。
【００１４】
（３）の構成によれば、取付部及び化粧パネルにより係止孔が視認されにくくすることができるため、フレーム構造体の意匠性を向上させることができる。
【００１５】
（４）の構成によれば、フレーム構造体の背側にも支持部材及び係止部材を取付可能とすることができる。
【図面の簡単な説明】
【００１６】
【図１】本実施形態に係るフレーム構造体を示した斜視図。
【図２】フレーム構造体を示した分解斜視図。
【図３】フレーム構造体の第一実施例を示した斜視図。
【図４】フレーム構造体の第一実施例を示した分解斜視図。
【図５】側板パネルの上部とブラケットとを支柱に組付ける状態を示した斜視図。
【図６】側板パネルの上部と支柱との組付構成を示した側面断面図。
【図７】側板パネルの上部と支柱との組付構成を示した正面断面図。
【図８】側板パネルの下部を支柱に組付ける状態を示した斜視図。
【図９】側板パネルの下部と支柱との組付構成を示した側面断面図。
【図１０】（ａ）は支柱の断面図、（ｂ）は支柱に側板パネルを組付けた状態の平面図。
【図１１】第一安定脚及び第二安定脚と支柱との組付構成を示した側面断面図。
【図１２】フレーム構造体の支柱に内カバー及び外カバーを組付けた状態を示した斜視図。
【図１３】支柱に対する内カバー及び外カバーの組付構成を示した分解斜視図。
【図１４】フレーム構造体の第二実施例を示した斜視図。
【図１５】サイドパネルを支柱に組付ける状態を示した斜視図。
【図１６】フレーム構造体の第三実施例を示した斜視図。
【図１７】フレーム構造体の第三実施例を示した分解斜視図。
【図１８】フレーム構造体を用いた第一構成例を示した斜視図。
【図１９】フレーム構造体を用いた第二構成例を示した正面側斜視図。
【図２０】フレーム構造体を用いた第二構成例を示した背面側斜視図。
【発明を実施するための形態】
【００１７】
［フレーム構造体Ｆ］
以下では図１、図２、及び図１０を用いて、本発明の一実施形態に係るフレーム構造体Ｆについて説明する。フレーム構造体Ｆは、図３、図１４、図１６、及び、図１８から図２０に示す如く、側板パネル３１、第一安定脚３２、第二安定脚３３、又は、袖パネル３６等の支持部材で支持された状態で、棚板４２及び棚板ブラケット４１、サイドパネル４３、背板４５、ハンギングビーム４６、又は、天板４８を支持する天板ブラケット４７等の係止部材が係止される枠体である。
【００１８】
本実施形態において説明するフレーム構造体Ｆ、各種支持部材、各種係止部材、及び、その他の部材は、概ねスチール又はアルミ等の金属板を折り曲げたものが採用される。但し、各部材において適宜木製部材又は樹脂製部材等の他の素材を採用することも可能である。
【００１９】
本実施形態に係るフレーム構造体Ｆは、所定の間隔を空けて立設される２本の棒体である支柱１０・１０と、支柱１０・１０の上端部を連結する連結杆２１と、支柱１０・１０の下部を連結する幕板２２と、を備える。なお、フレーム構造体の構成は上記に限定されるものではなく、３本以上の支柱１０を２本以上の連結杆２１と２個以上の幕板２２とで連結する構成とすることも可能である（図１８から図２０を参照）。
【００２０】
図１及び図２に示す如く、連結杆２１は隣接する支柱１０・１０において対向する内側面の上端部にビス等の固定具を介して固定される。これにより、連結杆２１は支柱１０・１０の上端部を互いに連結する。連結杆２１は、連結本体２１ａと連結本体２１ａの上側に被せられる連結カバー２１ｂとにより構成される。
【００２１】
幕板２２は隣接する支柱１０・１０において対向する内側面の下部にビス等の固定具を介して固定される。これにより、幕板２２は支柱１０・１０の下部を互いに連結する。具体的には図２に示す如く、幕板２２の両端部に板厚の大きい平面視でコ字状の連結金具２２ａを溶接し、連結金具２２ａをビス等の固定具により支柱１０に対して固定する。本実施形態においては、連結金具２２ａを介して幕板２２を支柱１０に組付けることにより、フレーム構造体Ｆの剛性を高める構成としている。また、幕板２２の取付箇所となる支柱１０は部分的に二重管となるように構成している。
【００２２】
本実施形態に係るフレーム構造体Ｆにおいては、支柱１０に対する幕板２２（連結金具２２ａ）の固定箇所の一部が第一安定脚３２又は第二安定脚３３の上端よりも下側に位置する（支柱１０に対する幕板２２の固定部分と安定脚の固定部分とが高さ方向で重なる）ように構成している（図１及び図３を参照）。これにより、第一安定脚３２又は第二安定脚３３の付け根部分に負荷が集中することを防止している。また、一般的な壁面コンセントを幕板２２によって塞がないようにするため、図２に示す如く幕板２２の位置を下げることなく、連結金具２２ａのみを幕板２２の下側に延出させて構成している。
【００２３】
図１０（ａ）に示す如く、支柱１０は軸心と直交する断面視（水平断面視）で略矩形に形成される。支柱１０は、断面視でＣ字状に屈曲された板材である支柱本体１１・１１が対向して接合されることにより筒状に形成される。
【００２４】
支柱１０において、連結杆２１が固定される内側面と直交する一側面（図１０（ａ）における上下両側の面）には、取付部１２が支柱１０の長手方向に沿って設けられる。図１０（ａ）に示す如く、取付部１２は断面視でＣ字状に屈曲された板材により形成される。取付部１２は後述するように、支柱１０を支持する支持部材を取付け可能に構成されている。なお、本実施形態において取付部１２は支柱１０の全長に亘って設けられているが、支柱１０の長手方向における一部分のみに取付部１２・１２を設ける構成とすることも可能である。
【００２５】
本実施形態において、支柱１０の上端部（支柱本体１１・１１及び取付部１２・１２の上端部）には、支柱カバー２３が被せられる。また、図９及び図１１に示す如く、支柱１０の下端部には支柱１０を支持するための下端支持部材Ｈｐが固定されている。
【００２６】
支柱１０において取付部１２が設けられる一側面には、取付部１２の両側に沿って複数の係止孔１１ａ・１１ａ・・・が開口されている。係止孔１１ａ・１１ａ・・・は後述するように、支柱１０に組付ける係止部材を係止可能に構成されている。本実施形態においては図１０（ａ）に示す如く、取付部１２は係止孔１１ａの開口面（図１０（ａ）における上下両側の面）から突出して設けられる。なお、係止孔１１ａ・１１ａ・・・を、取付部１２に沿って連結杆２１側（フレーム構造体Ｆの内側）のみに設ける構成とすることも可能である。
【００２７】
本実施形態に係るフレーム構造体Ｆは図１０（ａ）及び（ｂ）に示す如く、支柱１０において互いに背向する両面（図１０（ａ）における上下両側の面）には、対称形状となるように取付部１２及び係止孔１１ａ・１１ａ・・・が設けられる。
【００２８】
［第一実施例］
以下、図３から図１１を用いて、フレーム構造体Ｆの第一実施例について説明する。図３及び図４に示す如く、フレーム構造体Ｆには、支柱１０・１０、連結杆２１、及び幕板２２で形成される開口部を閉塞する化粧パネル２４を組付けることができる。換言すれば、化粧パネル２４は隣接する支柱１０・１０の間隙を被覆している。本実施形態においては、フレーム構造体Ｆの両面に二枚ずつ化粧パネル２４が組付けられている。図３及び図４に示すフレーム構造体Ｆには、幕板２２の下方に配線ダクト２７を固定した状態で化粧パネル２４を取付けている。
【００２９】
化粧パネル２４をフレーム構造体Ｆに組付ける際には、図７及び図１０（ｂ）に示す如く、フレーム構造体Ｆの内側面（支柱１０において連結杆２１が組付けられる面）に固定された係合部材１１ｂに、化粧パネル２４の係合孔２４ａを係合させる。図１０（ｂ）中の二点鎖線Ｌで示す如く、フレーム構造体Ｆに化粧パネル２４を取付けた際には、取付部１２において支持部材を取付ける取付面と化粧パネル２４の表面とが同一面上に配置される。
【００３０】
また、図３及び図４に示す如く、フレーム構造体Ｆの外側端部（支柱１０において連結杆２１が組付けられる面と背向する面）には外側カバー２５を組付けることができる。外側カバー２５をフレーム構造体Ｆに組付ける際には、図６に示す如く、支柱１０にネジ等の固定具を設けた状態で、外側カバー２５に形成されたダルマ穴２５ａに固定具を挿入する。
【００３１】
なお、フレーム構造体Ｆに化粧パネル２４を取付けない場合は、図１２及び図１３に示す如く、フレーム構造体Ｆの内側面に内側カバー２６を組付ける構成とすることができる。この場合、内側カバー２６は支柱１０に対して、接着剤、両面テープ又は面ファスナーによる接着、又は、ビス等の固定具による固定によって取付けられる。
【００３２】
［支持部材］
図３及び図４に示す如く、フレーム構造体Ｆにおける取付部１２には、支柱１０を支持する支持部材を取付けることができる。図３には、左側に示す支柱１０における取付部１２に側板パネル３１、右側に示す支柱１０における一の取付部１２に第一安定脚３２、他の取付部１２に第二安定脚３３を支持部材として取付けた構成を示している。
【００３３】
側板パネル３１の上端部は取付部１２に対して上側連結部材Ｊ１で固定される。同様に、側板パネル３１の下端部は取付部１２に対して下側連結部材Ｊ２で固定される。図５から図７に示す如く、側板パネル３１の上端部を取付部１２に対して固定する際には、側板パネル３１の側端面を取付部１２に当接させる。そして、上側連結部材Ｊ１の固定片を側板パネル３１の固定孔３１ａに係止した状態で、ネジ等の固定具を用いて上側連結部材Ｊ１を支柱１０に固定する。
【００３４】
一方、図８及び図９に示す如く、側板パネル３１の下端部を取付部１２に対して固定する際には、ネジ等の固定具を用いて取付部１２に下側連結部材Ｊ２を固定する。そして、側板パネル３１の側端面を取付部１２に当接させた状態で下側連結部材Ｊ２の上側に側板パネル３１を載置し、ネジ等の固定具を用いて側板パネル３１と下側連結部材Ｊ２とを連結する。
【００３５】
このように、フレーム構造体Ｆには、上側連結部材Ｊ１及び下側連結部材Ｊ２を介して、支柱１０の取付部１２に取付けられる。即ち、フレーム構造体Ｆには、支持部材である側板パネル３１が強固に組付けられている。なお、図１８に示す袖パネル３６についても、側板パネル３１と同じ構成でフレーム構造体Ｆに取付けられる。
【００３６】
図１１に示す如く、支柱１０の取付部１２には第一安定脚３２が取付けられる。第一安定脚３２には複数の係止片３２ａが形成される。そして、係止片３２ａを支柱１０の係止孔１１ａに係止し、第一安定脚３２を取付部１２に対して当接させた状態で、第一安定脚３２をボルト等の固定具を用いて支柱１０に固定する。第一安定脚３２の下部は第一固定部材Ｒ１を介して床面に固定される。なお、第一安定脚３２に係止片３２ａを設けず、取付部１２のみを用いて第一安定脚３２を支柱１０に固定する構成とすることも可能である。
【００３７】
また、図１１に示す如く、支柱１０における第一安定脚３２の反対側の取付部１２には第二安定脚３２が取付けられる。第二安定脚３２は取付部１２に対して当接した状態でボルト等の固定具を用いて支柱１０に固定される。第二安定脚３２は、複数の係止片３４ａが形成された脚カバー３４で覆われている。脚カバー３４は、係止片３４ａが係止孔１ａ・１１ａ・・・に係止されることにより、支柱１０に組付けられる。第二安定脚３３の下部は第二固定部材Ｒ２を介して床面に固定される。このように、フレーム構造体Ｆには、支持部材である第一安定脚３２及び第二安定脚３３が強固に組付けられている。
【００３８】
［係止部材］
図３及び図４に示す如く、フレーム構造体Ｆにおける係止孔１１ａ・１１ａ・・・には、支柱１０に組付けられる係止部材が係止される。図３には、棚板４２を支持する棚板ブラケット４１が係止部材として係止された構成を示している。なお、図３では棚板４２を３段で図示しているが、図４では説明の便宜上、上段及び下段の棚板４２及び棚板ブラケット４１の図示を省略している。
【００３９】
図５に示す如く、棚板ブラケット４１には３個の係止片４１ａが形成されている。それぞれの係止片４１ａを係止孔１１ａ・１１ａ・・・に係止することにより、棚板ブラケット４１は支柱１０に組付けられる。係止片４１ａのうち、最上部に形成される係止片４１ａは上方に延出され、係止孔１１ａの上側で係止されるために、棚板ブラケット４１が支柱１０から離脱し難くなっている。棚板ブラケット４１の下端部は折り曲げられて載置部４１ｂが形成される。両側の支柱１０・１０に係止された棚板ブラケット４１・４１において、載置部４１ｂ・４１ｂに棚板４２が載置される。
【００４０】
本実施形態において、フレーム構造体Ｆの下部に棚板４２を設ける場合、棚板ブラケット４１に代えて第一安定脚３２で棚板４２の一端部を支持する構成とすることができる。具体的には図４及び図１１に示す如く、第一安定脚３２には両側の側面に二個のスリット３２ｂ・３２ｂが形成されている。そして、固定片３５ａ・３５ａが形成された支持部材３５を、固定片３５ａ・３５ａをスリット３２ｂ・３２ｂに係合させて第一安定脚３２に組付ける。これにより、本実施形態においては棚板４２の一端部を支持部材３５で支持することができる。
【００４１】
上記の如く、本実施形態に係るフレーム構造体Ｆにおいて、支柱１０における一側面には、支柱１０を支持する支持部材を取付け可能な取付部１２が設けられるとともに、支柱１０に組付ける係止部材を係止可能な複数の係止孔１１ａ・１１ａ・・・が取付部１２に沿って開口される。このように、本実施形態においては支柱１０に取付部１２と係止孔１１ａ・１１ａ・・・を別に設けることにより、一本の支柱１０における同一面に対して、支持部材及び係止部材を互いに干渉しないように取付けることが可能となる。即ち、支持部材及び係止部材の配置の自由度を向上させることができる。
【００４２】
また、従来技術に係るフレーム構造体においては、机でフレーム構造体を支持する構造であったのに対し、本実施形態に係るフレーム構造体Ｆは、側板パネル１３、第一安定脚３２及び第二安定脚３３等の支持部材によって安定的に支持する構成としている。即ち、本実施形態においては、支持部材及び係止部材のレイアウトの自由度を高めると同時に、机等の支持体を用いることなくフレーム構造体Ｆを強固に固定することを可能としている。
【００４３】
また、本実施形態に係るフレーム構造体Ｆにおいては図１０ａに示す如く、支柱１０の一側面で、取付部１２は係止孔１１ａ・１１ａ・・・の開口面よりも突出して設けられる。また、支柱１０には、隣接する支柱１０との間隙を被覆する化粧パネル２４が設けられ、図１０（ｂ）中の二点鎖線Ｌに示す如く、取付部１２において支持部材を取付ける取付面と化粧パネル２４の表面とが同一面上に配置される。このように、係止孔１１ａ・１１ａ・・・を取付部１２及び化粧パネル２４から奥に入り込んだ部分に位置させるとで、図３に示す如く取付部１２及び化粧パネル２４により係止孔１１ａ・１１ａ・・・が視認されにくくすることができる。即ち、フレーム構造体Ｆの意匠性を向上させることができる。
【００４４】
また、本実施形態に係るフレーム構造体Ｆは図１０（ａ）及び（ｂ）に示す如く、支柱１０において互いに背向する両面には、対称形状となるように取付部１２及び係止孔１１ａ・１１ａ・・・が設けられる。これにより図１９及び図２０に示す如く、フレーム構造体Ｆの背側にも、表側と同様に支持部材及び係止部材を取付可能とすることができる。
【００４５】
［第二実施例］
次に、図１４及び図１５を用いて、フレーム構造体Ｆの第二実施例について説明する。本実施例以降で説明する実施例において、フレーム構造体Ｆの基本的な構成は前記第一実施例と同様であるため、第一実施例に記載した構成は同符号を付して詳細な説明を省略する。
【００４６】
図１４に示す如く、本実施例に係るフレーム構造体Ｆにおいては、両側の支柱１０・１０に第一安定脚３２・３２が組付けられる。そして、第一安定脚３２・３２の間にはデスク５１が配置されている。両側の支柱１０・１０には、デスク５１の両側を遮蔽するサイドパネル４３・４３が組付けられている。
【００４７】
図１５に示す如く、サイドパネル４３の隅部における両面には、係止片４４ａが形成されたパネル支持部材４４・４４が組付けられる。そして、係止片４４ａ・４４ａを係止孔１１ａに係止することにより、サイドパネル４３は支柱１０に組付けられる。即ち、本実施例においては、パネル支持部材４４・４４が組付けられたサイドパネル４３が係止部材として支柱１０に組付けられる。
【００４８】
上記の如く、本実施形態に係るフレーム構造体Ｆにおいて、支柱１０における一側面には、取付部１２の両側に沿って、複数の係止孔１１ａ・１１ａ・・・が開口される。これにより、支柱１０に対して係止片４４ａ・４４ａが二列で設けられたサイドパネル４３を係止部材として係止することができる。即ち、一本の支柱１０に係止孔１１ａ・１１ａ・・・を二列で形成することにより、一個の係止部材を安定して係止することが可能となる。なお、サイドパネル４３に係止片４４ａ・４４ａを設けず、サイドパネル４３を取付部１２のみを用いて支柱１０に固定する構成とすることも可能である。
【００４９】
また、支柱１０における取付部１２の両側に沿って係止孔１１ａ・１１ａ・・・を開口することにより、支柱１０が３本以上のフレーム構造体を構成した場合に、間の支柱１０（連結杆２１が２本連結されている支柱１０）に支持部材を取付け、支持部材の両側それぞれに係止部材を係止する構成とすることが可能となる（図１９及び図２０を参照）。
【００５０】
［第三実施例］
次に、図１６及び図１７を用いて、フレーム構造体Ｆの第三実施例について説明する。本実施例に係るフレーム構造体Ｆにおいては図１６に示す如く、第一実施例における化粧パネル２４を設けずに、支柱１０・１０に対して、棚板ブラケット４１・４１及び棚板４２の少し上方に背板４５を組付けた構成としている。なお、図１６及び図１７において、フレーム構造体Ｆを支持する支持部材については図示を省略している。
【００５１】
図１７に示す如く、背板４５の両端部には係止片４５ａが形成されている。そして、係止片４５ａを支柱１０の係止孔１１ａに係止することにより、背板４５は支柱１０・１０に組付けられる。即ち、本実施例においては、背板４５が係止部材として支柱１０に組付けられている。
【００５２】
また、本実施例に係るフレーム構造体Ｆにおいては図１６に示す如く、支柱１０・１０に対して、モニタＭを連結可能なハンギングビーム４６を組付けた構成としている。図１７に示す如く、背板４５の両端部には係止片４６ａが形成されている。そして、係止片４６ａを支柱１０の係止孔１１ａに係止することにより、ハンギングビーム４６は支柱１０・１０に組付けられる。即ち、本実施例においては、ハンギングビーム４６が係止部材として支柱１０に組付けられている。なお、ハンギングビーム４６には、モニタＭのほか、トレイ等のオプション類を係止することが可能である。
【００５３】
また、本実施例に係るフレーム構造体Ｆにおいては図１６に示す如く、天板４８を支持する天板ブラケット４７が係止部材として係止される。図１７に示す如く天板ブラケット４７には係止片４７ａが形成されている。それぞれの係止片４７ａを係止孔１１ａ・１１ａ・・・に係止することにより、天板ブラケット４７は支柱１０に組付けられる。両側の支柱１０・１０に係止された天板ブラケット４７・４７に天板４８が載置される。天板４８の中央前端部は支持脚４９で支持される。
【００５４】
上記の如く、本実施例に係るフレーム構造体Ｆにおいては、係止部材として、背板４５、ハンギングビーム４６、及び、天板ブラケット４７等を支柱１０に係止する構成としている。なお、フレーム構造体Ｆに化粧パネル２４を設けた状態で、これらの係止部材を支柱１０に係止する構成としても差し支えない。
【００５５】
［フレーム構造体Ｆを用いた構成例］
次に、図１８から図２０を用いて、フレーム構造体Ｆを用いた各種構成例について説明する。図１８から図２０には何れも、四本の支柱１０を３本の連結杆２１で連結した構成のフレーム構造体Ｆを示している。なお、図１９と図２０は同じ第二構成例を前後それぞれの方向から見た斜視図である。
【００５６】
図１８に示す第一構成例では、フレーム構造体Ｆを構成する両端の支柱１０のそれぞれに、支持部材として二枚の側板パネル３１を連結し、さらに一枚の側板パネル３１を９０度変位させて連結している。これにより、フレーム構造体Ｆと六枚の側板パネル３１で一つの大きな空間を構成している。フレーム構造体Ｆの裏面には支持部材として３枚の袖パネル３６が組付けられる。
【００５７】
第一構成例において、フレーム構造体Ｆを構成する中間の支柱１０には支持部材として第一安定脚３２が組付けられる。また、フレーム構造体Ｆには、係止部材として棚板４２、モニタＭが連結されたハンギングビーム４６、天板４８等が組付けられる。天板４８の隣にはテーブル５２が配置される。
【００５８】
本構成例においては図１８に示すごとく、隣接する天板４８・４８の隙間（第一安定脚３２が組付けられる支柱１０の前側）に、不織布をプレスして形成したトレイ４８ａが設けられている。これにより、側板パネル３１を設けない支柱１０の前側に形成される、天板４８・４８の隙間のスペースを有効に活用することができる。なお、天板４８の奥行寸法が図１８に記載の構成よりも大きい場合、トレイ４８ａを前後に二つ以上並べて配置することも可能である。
【００５９】
図１９及び図２０に示す第二構成例では、フレーム構造体Ｆを構成する支柱１０のそれぞれに、二枚の側板パネル３１を背向させて連結している。これにより、フレーム構造体Ｆと八枚の側板パネル３１で六つの個別空間を構成している。
【００６０】
図１９に示す如く、正面側のそれぞれの個別空間にはデスク５１が配置され、フレーム構造体Ｆには係止部材として棚板４２が組付けられる。また、図２０に示す如く、背面側のそれぞれの個別空間において、フレーム構造体Ｆには係止部材として天板４８が組付けられる。天板４８は支持脚４９により支持されている。
【００６１】
本実施形態に係るフレーム構造体Ｆにおいては、支柱１０における取付部１２の両側に沿って係止孔１１ａ・１１ａ・・・を開口している。これにより、図１９及び図２０の第二構成例に示す如く、支柱１０が３本以上のフレーム構造体を構成した場合に、間の支柱１０（連結杆２１が２本連結されている支柱１０）に支持部材（側板パネル３１）を取付け、支持部材の両側それぞれに係止部材（棚板４２及び天板４８）を係止する構成とすることが可能となる。このように、本実施形態に係るフレーム構造体Ｆにおいては、上記の第一〜第三構成例に示す如く、フレーム構造体Ｆを用いてオフィス等の空間を多種多様にレイアウトすることが可能となる。
【００６２】
なお、フレーム構造体Ｆを構成する支柱１０において、取付部１２の何れの側（連結杆２１側のみの片側、又は、両側）に係止孔１１ａを開口するか、及び、支柱１０の配置構成は、本明細書に記載した各実施形態及び各構成例に限定されるものではない。即ち、支柱１０が２本のフレーム構造体Ｆの場合、取付部１２の両側に係止孔１１ａを開口した支柱１０を、０本、１本、又は２本の何れかとすることが可能である。また、支柱１０が３本以上のフレーム構造体Ｆの場合であっても同様に、取付部１２の両側に係止孔１１ａを開口した支柱１０について、その本数及び設ける位置が限定されるものではない。
【００６３】
また、３本以上の支柱１０を備えるフレーム構造体Ｆの場合、少なくとも中間に位置する支柱１０について、取付部１２の両側に係止孔１１ａを開口したものを採用することで、棚板４２やハンギングビーム４６等の係止部材を支柱１０の両側に支障なく係止することができる。換言すれば、３本以上の支柱１０を備えるフレーム構造体Ｆにおいて中間に位置する支柱１０には、係止部材を支柱１０の両側に支障なく係止するという観点より、係止孔１１ａが取付部１２の両側に開口された構成を採用することが望ましい。一方、当該フレーム構造体Ｆにおいて両端に位置する支柱１０には、係止孔１１ａが取付部１２における連結杆２１側のみの片側に開口された構成、又は、係止孔１１ａが取付部１２の両側に開口された構成、の何れを採用しても差し支えない。
【００６４】
また、前述の如く、第一安定脚３２又はサイドパネル４３を支柱１０の取付部１２のみに固定する構成を採用した場合は、係止孔１１ａが取付部１２における連結杆２１側のみの片側に開口された支柱１０、又は、係止孔１１ａが取付部１２の両側に開口された支柱１０の何れであっても、棚板４２やハンギングビーム４６等の係止部材を第一安定脚３２又はサイドパネル４３に隣接して係止することができる。
【符号の説明】
【００６５】
１０        支柱                   １１        支柱本体           
１１ａ      係止孔                 １１ｂ      係合部材           
１２        取付部                 ２１        連結杆             
２１ａ      連結本体               ２１ｂ      連結カバー         
２２        幕板                   ２２ａ      連結金具           
２３        支柱カバー             ２４        化粧パネル         
２４ａ      係合孔                 ２５        外側カバー         
２５ａ      ダルマ穴               ２６        内側カバー         
２７        配線ダクト             ３１        側板パネル         
３１ａ      固定孔                 ３２        第一安定脚         
３２ａ      係止片                 ３２ｂ      スリット           
３３        第二安定脚             ３４        脚カバー           
３４ａ      係止片                 ３５        支持部材           
３５ａ      固定片                 ３６        袖パネル           
４１        棚板ブラケット         ４１ａ      係止片             
４１ｂ      載置部                 ４２        棚板               
４３        サイドパネル           ４４        パネル支持部材     
４４ａ      係止片                 ４５        背板               
４５ａ      係止片                 ４６        ハンギングビーム   
４６ａ      係止片                 ４７        天板ブラケット     
４７ａ      係止片                 ４８        天板               
４８ａ      トレイ                 ４９        支持脚             
５１        デスク                 ５２        テーブル           
Ｆ        フレーム構造体           Ｊ１      上側連結部材       
Ｊ２      下側連結部材             Ｈｐ      下端支持部材       
Ｒ１      第一固定部材             Ｒ２      第二固定部材       
Ｒ２      第二固定部材             Ｍ        モニタ             
【図１】
2020179001.tif 000003
【図２】
2020179001.tif 000004
【図３】
2020179001.tif 000005
【図４】
2020179001.tif 000006
【図５】
2020179001.tif 000007
【図６】
2020179001.tif 000008
【図７】
2020179001.tif 000009
【図８】
2020179001.tif 000010
【図９】
2020179001.tif 000011
【図１０】
2020179001.tif 000012
【図１１】
2020179001.tif 000013
【図１２】
2020179001.tif 000014
【図１３】
2020179001.tif 000015
【図１４】
2020179001.tif 000016
【図１５】
2020179001.tif 000017
【図１６】
2020179001.tif 000018
【図１７】
2020179001.tif 000019
【図１８】
2020179001.tif 000020
【図１９】
2020179001.tif 000021
【図２０】
2020179001.tif 000022